(57)【要約】【課題】  ハンドルが長い場合でも、シリンダー錠のキー穴を適切な位置に設けることが可能なハンドル装置の提供。【解決手段】  扉５に固定される台座６１と、この台座６１に設けられるハンドル本体６５と、このハンドル本体６５の移動に伴いスライダー４９を移動させる操作部材６９とを備える。操作部材６９は、ハンドル本体６５に連結される伝達片８０と、この伝達片８０と左右方向に離隔して配置され、ラッチ錠３の錠ケース１１に差し込まれる作動片８１と、伝達片８０と作動片８１とを連結する中央片８３とを有し、軸８７により台座６１に回動可能に保持されている。伝達片８０に連結されたハンドル本体６５の引きの操作により伝達片８０が軸まわりに回動し、これに伴って作動片８１がスライダー４９を移動させる。これにより、ラッチボルト１５の後退が可能とされる。【選択図】      図４
2008266982.tif 000002
【特許請求の範囲】
【請求項１】
進退可能であるが突出方向へ付勢されたラッチボルトを有する扉錠が設けられる扉のハンドル装置であって、
扉の幅方向に沿う軸まわりに回動可能に設けられる伝達部材と、
この伝達部材と扉の幅方向に離隔して設けられ、伝達部材に連結されたハンドルの押しまたは引きの操作による伝達部材の軸まわりの回動に連動し、ラッチボルトを後退させるか、後退可能状態に切替える作動部材と
を備えることを特徴とする扉錠用ハンドル装置。
【請求項２】
前記伝達部材と前記作動部材とは、互いに平行で一体的に連結されており、同一の軸線まわりに回動可能に保持された
ことを特徴とする請求項１に記載の扉錠用ハンドル装置。
【発明の詳細な説明】
【技術分野】
【０００１】
本発明は、扉錠用のハンドル装置に関するものである。
【背景技術】
【０００２】
周知のとおり、扉には、例えば、ハンドルにより施解錠するラッチ錠や、キーにより施解錠するシリンダー錠が取り付けられている。また、近年、デザイン性が重視されてきたことで、プッシュ・プル式のハンドル装置の場合、ハンドルを長くして高級感をだすことがある。さらに、防犯上の問題からシリンダー錠を二つ設けてツーロックとする場合がある。
【発明の開示】
【発明が解決しようとする課題】
【０００３】
しかしながら、従来のプッシュ・プル式のハンドル装置の場合、図８に示すように、扉１８１に上下方向に沿って設けられ、押しまたは引きの操作によりラッチ錠１８３を解錠するハンドル１８５と、シリンダー錠１８７のキー穴１８９とがほぼ同一軸線上に配置されていることで、ハンドル１８５が設けられる高さ位置の範囲内にはシリンダー錠１８７のキー穴１８９を配置することができなかった。そのため、シリンダー錠１８７のキー穴１８９は、ハンドル１８５の上側と下側の一方または両方に配置されていた。
そして、ハンドルの上側にキー穴が配置された場合、小さな子供やお年寄りが、キー穴にキーを差し込むことが困難となり、ハンドルの下側にキー穴が配置された場合、キー穴が低くなりすぎて、大人がキーをキー穴に差し込むのが困難な位置となっていた。
【０００４】
本発明が解決しようとする課題は、ハンドルが極めて長い場合でも、シリンダー錠のキー穴を適切な位置に設けることが可能なハンドル装置を提供することにある。
【課題を解決するための手段】
【０００５】
本発明は、前記課題を解決するためになされたものであり、請求項１に記載の発明は、進退可能であるが突出方向へ付勢されたラッチボルトを有する扉錠が設けられる扉のハンドル装置であって、扉の幅方向に沿う軸まわりに回動可能に設けられる伝達部材と、この伝達部材と扉の幅方向に離隔して設けられ、伝達部材に連結されたハンドルの押しまたは引きの操作による伝達部材の軸まわりの回動に連動し、ラッチボルトを後退させるか、後退可能状態に切替える作動部材とを備えることを特徴とする扉錠用ハンドル装置である。
【０００６】
さらに、請求項２に記載の発明は、前記伝達部材と前記作動部材とは、互いに平行で一体的に連結されており、同一の軸線まわりに回動可能に保持されたことを特徴とする請求項１に記載の扉錠用ハンドル装置である。
【発明の効果】
【０００７】
本発明のハンドル装置によれば、ハンドルを扉の戸先側端部から離隔した位置に設けることが可能である。従って、従来公知のラッチ錠を使用しながら、扉の戸先側端部とハンドルとの間にシリンダー錠のキー穴を配置できる。これにより、シリンダー錠のキー穴を適切な高さ位置に配置することができる。
【発明を実施するための最良の形態】
【０００８】
以下、本発明のハンドル装置について、図面に基づき詳細に説明する。
ここでは、本発明のハンドル装置がたとえば玄関扉に適用される場合について説明する。なお、以下の説明においては、扉が閉鎖した状態において室内外方向を前後方向とし、扉の幅方向を左右方向とする。
【０００９】
図１は、本発明のハンドル装置の一実施例を示す図であり、扉に取り付けた状態を室外側から見た正面図である。図２は、図１中のラッチ錠の正面視の概略縦断面図であり、図３は、そのラッチボルトを示す斜視図である。
図４は、図１のハンドル装置の側面視の縦断面図であり、図５はその横断面図である。また、図６は図１のハンドル装置の主要部を示す斜視図である。
さらに、図７は、図１のハンドル装置の室外側に設けられた上側の台座を室内側から見た概略図である。
【００１０】
本実施例のハンドル装置１は、ラッチ錠３が設けられた扉５に適用される。
本実施例のハンドル装置１が取り付けられる扉５は、開き戸形式とされ、たとえば室外側へ開く外開き扉とされる。具体的には、扉５は、略矩形状の扉枠７の一側端部に、ヒンジ９を介して回動可能に取り付けられている。
【００１１】
本実施例のラッチ錠３は、いわゆる反転式のラッチ錠とされ、扉５の戸先側端部に内蔵される錠ケース１１と、この錠ケース１１に設けられ、錠ケース１１の戸先側端面１３から出没可能なラッチボルト１５と、このラッチボルト１５の反転を阻止する上下一対のロッキングピース３５，３５とを主要部に備える。
【００１２】
錠ケース１１は、矩形箱状とされ、扉５の戸先側端部の上下方向略中央部に取り付けられる。具体的には、図２および図６に示すように、錠ケース１１は、扉５に埋め込まれると共に、錠ケース１１の戸先側端面１３に矩形板状のフロント板１７が重ね合わされる。そして、フロント板１７を介して扉５の戸先側端部に取付ネジ１９がねじ込まれて、錠ケース１１およびフロント板１７が扉５に固定される。
【００１３】
錠ケース１１の戸先側端面１３およびフロント板１７には、ラッチボルト１５が通される貫通穴２１，２３がそれぞれ形成されている。
【００１４】
ラッチボルト１５は、平面視略菱形とされ、錠ケース１１から三角形状に突出して、扉枠７の戸先側縦枠７ａに設けられた受材２５の受穴２５ａに突入する（図５）。ラッチボルト１５が受材２５の受穴２５ａに突入した状態では、閉扉方向の面が室内側へ行くに従って吊元側へ傾斜する傾斜面とされ、開扉方向の面が左右方向に沿う係合面とされる。
【００１５】
図３に示すように、ラッチボルト１５の基端部には、上下に対称的に、突出部２７，２７が一体形成されている。各突出部２７には、左右方向に沿って係合溝２７ａがそれぞれ形成されている。
また、ラッチボルト１５の基端部の上下方向中央には、傾斜した嵌合凹部２９が形成されており、ラッチバネ３１の一端部が円筒材３０を介してはめ込まれている。
【００１６】
錠ケース１１には、戸先側端面１３の貫通穴２１を臨むように、断面コ字形のバネ受３３が設けられ、このバネ受３３とラッチボルト１５の嵌合凹部２９との間にラッチバネ３１が設けられている。
このラッチバネ３１によって、ラッチボルト１５は、その先端部が、常時、錠ケース１１の戸先側端面１３の貫通穴２１から突出するよう付勢されている。そして、この付勢力に対抗して、ラッチボルト１５は錠ケース１１側へ後退可能とされている。
【００１７】
錠ケース１１内には、ラッチボルト１５が受材２５の受穴２５ａに突入した扉５の閉鎖状態において、ラッチボルト１５の反転を阻止するための上下一対のロッキングピース３５，３５が、ラッチボルト１５を挟んだ状態で設けられている。各ロッキングピース３５は、その略中央部が、錠ケース１１の前後壁面間に枢軸３７で揺動自在にそれぞれ枢支されている。さらに、各ロッキングピース３５の先端部には、係合片３９，３９が対向するように突出して形成されている。また、枢軸３７には、つる巻きバネ４１がそれぞれ設けられており、係合片３９がラッチボルト１５の係合溝２７ａに常時係合するようにロッキングピース３５を付勢している。この係合状態時にはラッチボルト１５は反転が阻止される。
【００１８】
また、各ロッキングピース３５の略中央部には、連結片４３，４３が互いに対向するように突出して形成されており、両連結片４３，４３同士は連結ピン４５により連動して回動可能に連結されている。
【００１９】
各ロッキングピース３５の基端部には基端側へ延出して係合部４７がそれぞれ形成されている。この係合部４７は、後述する操作部材６９，７１の作動片８１，１３９によって上下動するスライダー４９（第一スライダー５１、第二スライダー５３）の一部に当接している。
【００２０】
本実施例では、第一スライダー５１を下動させることで、各ロッキングピース３５が揺動し、また、第二スライダー５３を上動させることで、各ロッキングピース３５を揺動させるよう構成されている。つまり、一方のロッキングピース３５を、その係合片３９が、ラッチボルト１５の係合溝２７ａとの係合を解除する方向に揺動することにより、連結ピン４５を介して他方のロッキングピース３５も連動して揺動し、その係合片３９もラッチボルト１５の他方の係合溝２７ａから離脱される。このように各ロッキングピース３５の係合片３９が、ラッチボルト１５の係合溝２７ａから離脱した状態では、ラッチボルト１５の反転が許容され、ラッチボルト１５は、開扉時に扉枠７の戸先側縦枠７ａに設けられた受材２５に当接することで反転すると共に、錠ケース１１内に後退可能な状態となる。
【００２１】
図５に示すように、閉扉され、ハンドル本体６５，６７が操作されていない状態においては、ラッチボルト１５が扉枠７の戸先側縦枠７ａに設けられた受材２５の受穴２５ａに突入し、ロッキングピース３５によりラッチボルト１５の反転が阻止されることで、扉５の閉鎖状態が維持される。
【００２２】
本実施例のハンドル装置１は、扉５に固定される台座６１，６３と、この台座６１，６３に設けられるハンドル本体６５，６７と、ハンドル本体６５，６７の移動に伴い前記スライダー４９を移動させる操作部材６９，７１とを主要部に備え、ハンドル本体６５，６７を押しまたは引き操作することでラッチ錠３を解錠するいわゆるプッシュ・プル式のハンドル装置とされる。
まず、室外側のハンドル装置１Ａについて説明する。
【００２３】
台座６１は、図５に示すように、平面視略Ｌ字形とされ、扉５の室外側面に沿って配置される矩形状の一片６１ａと、この一片６１ａの吊元側端部から室外側へ直角に延出する他片６１ｂとを有する。
【００２４】
また、室外側の台座６１には、室内側へ延出する２本の丸棒状の取付柱７３，７３が左右に離隔して設けられており、その片方は扉５および錠ケース１１に挿通され、他方は扉５に挿通されている。この取付柱７３の先端部には、室内側へ開口するネジ穴７３ａが形成されている。また、台座６１には、取付柱７３より短くネジ穴の無い取付柱７４が室内側へ延出して設けられており、取付柱７４は扉５および錠ケース１１に挿通されている。この取付柱７４は、台座６１と錠ケース１１との位置決めに使用されると共に、ハンドル本体６５，６７による操作時の錠ケース１１の振れ止めの役割も果たす。
【００２５】
本実施例では、扉５の室外側面に二つの台座６１，６１が上下に離隔して設けられており、室外側の各台座６１と同じ高さ位置に室内側の台座６３，６３が配置される。そして、室内側の台座６３から室外側の台座６１の取付柱７３にネジ７５がねじ込まれることで、室外側および室内側の各台座６１，６３が扉５に固定される。
【００２６】
ハンドル本体６５は、中空の丸棒状とされ、軸線を上下方向に配置した状態で、台座６１，６１の他片６１ｂ，６１ｂ同士を架け渡すように設けられる。
【００２７】
ハンドル本体６５には、二つの取付部材７７，７７が上下に離隔して設けられている。
各取付部材７７は、ハンドル本体６５に固定される基部７７ａと、この基部７７ａから室内側へ延出する柱部７７ｂとを有する。柱部７７ｂの先端部には、上下方向に沿って室内側へ開口する溝７７ｃが形成されている。
取付部材７７は、台座６１の他片６１ｂ内に前後方向に沿って進退可能に差し込まれている。
【００２８】
また、ハンドル本体６５内には、連動杆７９が収容されている。連動杆７９は、細長い矩形板状とされ、その上下端部７９ａ，７９ｂは、室内側へ直角に延出している。
本実施例では、連動杆７９は、その上端部７９ａが上側の取付部材７７の柱部７７ｂより上方に配置され、下端部７９ｂが下側の取付部材７７の柱部７７ｂより上方に配置されている。そして、連動杆７９の上下各端部７９ａ，７９ｂは、取付部材７７の基部７７ａに形成された貫通穴７７ｄに差し込まれている。
【００２９】
操作部材６９は、上側の台座６１に回動可能に保持されており、取付部材７７に連結される伝達片８０と、この伝達片８０と左右方向に離隔して配置され、ラッチ錠３の第一スライダー５１と第二スライダー５３との間に先端部８１ａが差し込まれる作動片８１と、伝達片８０と作動片８１とを連結する中央片８３とを有する。
【００３０】
中央片８３は、左右に細長く水平に配置される矩形板状とされ、その吊元側端部から下方へ延出して矩形板状の伝達片８０が設けられている。また、この伝達片８０の上端部には、室外側へ延出して矩形板状の接続片８５が設けられている。
接続片８５の室外側端部中央には、略Ｕ字形の溝８５ａが室外側へ開口して形成されている。
【００３１】
作動片８１は、中央片８３の戸先側端部に設けられている。具体的には、作動片８１は、中央片８３の戸先側端部から下方へ延出すると共に、室内側へ延出して設けられている。なお、本実施例では、伝達片８０、作動片８１、中央片８３、および接続片８５は、一枚の板体を屈曲して形成されている。
【００３２】
本実施例では、丸棒状の軸８７が、操作部材６９の伝達片８０と作動片８１とを架け渡すように左右方向に沿って挿通されており、軸８７は、台座６１に回動可能に保持されている。これにより操作部材６９は、上側の台座６１に軸８７まわりに回動可能に保持されている。
【００３３】
操作部材６９の伝達片８０は、その下端部が取付部材７７の柱部７７ｂの溝７７ｃに差し込まれて、左右方向に沿って挿通されるピン８９により柱部７７ｂに回動可能に連結されている。
【００３４】
接続片８５には、矩形板状の連結材９１が重ね合わされている。
連結材９１は、その一端部が軸８７に回動可能に保持され、他端部が連動杆７９の上端部７９ａにピン９３により回動可能に連結されている。
また、連結材９１の中途には、左右方向に沿って接続片８５側へ突出する係合ピン９５が設けられており、この係合ピン９５は、接続片８５の溝８５ａに回動可能にはめ込まれている。
【００３５】
また、作動片８１の先端部８１ａは、錠ケース１１の穴１１ａを介して第一スライダー５１と第二スライダー５３の間に差し込まれている。
【００３６】
図４に示すように、下側の台座６１には、案内部材９７が軸９９まわりに回動可能に設けられている。案内部材９７は、矩形板状の一片１０１と、この一片１０１の上端部から室外側へ延出する矩形板状の他片１０３とを有する略Ｌ字形の板体とされる。案内部材９７には、左右方向に沿って丸棒状の軸９９が挿通されており、この軸９９は下側の台座６１に回動可能に保持されている。
また、案内部材９７の他片１０３の室外側端部中央には、室外側へ開口する略Ｕ字状の溝１０３ａが形成されている。
【００３７】
案内部材９７の一片１０１は、その下端部が下側の取付部材７７の柱部７７ｂの溝７７ｃに差し込まれてピン１０７により回動可能に取付部材７７に連結されている。
また、案内部材９７の他片１０３には、矩形板状の連結材１０９が重ね合わされている。連結材１０９は、その一端部が軸９９に回動可能に保持され、他端部が連動杆７９の下端部７９ｂにピン１１１により回動可能に連結されている。
連結材１０９の中途には、左右方向に沿って案内部材９７の他片１０３側へ突出する係合ピン１１３が設けられており、この係合ピン１１３は、案内部材９７の他片１０３の溝１０３ａに回動可能にはめ込まれている。
【００３８】
各台座６１に保持された各軸８７，９９には、それぞれねじりコイルバネ１１５，１１７が挿通されている。
バネ１１５，１１７は、その一端部がそれぞれピン８９，１０７に引っ掛けられ、他端部が台座６１の内部に設けられた底板１１９に当接されており、ハンドル本体６５は、これらのバネ１１５，１１７により室内側へ付勢されて、垂直状態に姿勢が保たれている。
【００３９】
室内側のハンドル装置１Ｂは、室外側のハンドル装置１Ａと同様の構成であり、上側の台座６３に操作部材７１が軸１２１まわりに回動可能に保持されている。
そして、操作部材７１の伝達片１２３が、ハンドル本体６７に固定された取付部材１２５の柱部１２５ａにピン１２７で回動可能に連結されており、操作部材７１の接続片１２９には連結材１３１が重ね合わされている。連結材１３１は、その一端部が軸１２１に回動可能に保持され、他端部が連動杆１３３の上端部１３３ａにピン１３５により回動可能に連結されている。また、連結材１３１に立設された係合ピン１３７が接続片１２９の溝１２９ａに回動可能にはめ込まれている。
【００４０】
操作部材７１の作動片１３９の先端部１３９ａは、錠ケース１１の穴１１ｂを介して第一スライダー５１と第二スライダー５３の間に差し込まれている。
なお、室外側の作動片８１と室内側の作動片１３９とは左右に離隔して第一スライダー５１と第二スライダー５３の間に差し込まれている。
【００４１】
下側の台座６３には、室外側と同様に、略Ｌ字形の案内部材１４１が軸１４３まわりに回動可能に保持されている。
そして、案内部材１４１は、その一片１４４が下側の取付部材１２５の柱部１２５ａにピン１４５により回動可能に連結されており、他片１４７には、連結材１４９が重ね合わされている。連結材１４９は、その一端部が軸１４３に回動可能に保持され、他端部が連動杆１３３の下端部１３３ｂにピン１５１により回動可能に連結されている。また、連結材１４９の中途に設けられた係合ピン１５３が案内部材１４１の他片１４７の溝１４７ａに回動可能にはめ込まれている。
【００４２】
各台座６３に設けられた各軸１２１，１４３には、ねじりコイルバネ１５５，１５７がそれぞれ挿通されている。
バネ１５５，１５７は、その一端部がピン１２７，１４５に引っ掛けられ、他端部が台座６３の内部に設けられた底板１５９に当接されており、ハンドル本体６７は、これらのバネ１５５，１５７により室内側へ付勢されて、垂直状態に姿勢が保たれている。
【００４３】
図５に示すように、扉５が閉鎖されラッチ錠３のラッチボルト１５が受材２５の受穴２５ａに突入した状態から扉５を開ける場合、室外側から開扉するには、ハンドル本体６５を把持して引けばよい。
【００４４】
室外側のハンドル本体６５を引くことで、図６に示すように、ハンドル本体６５に固定された取付部材７７，７７にピン８９，１０７で連結された操作部材６９の伝達片８０の下端部および案内部材９７の一片１０１の下端部が、室外側へ引っ張られて操作部材６９および案内部材９７がそれぞれ軸８７，９９まわりに回動する。本実施例では、操作部材６９および案内部材９７は、図４において、反時計方向に回動する。
この際、操作部材６９の接続片８５および案内部材９７の他片１０３が軸８７，９９まわりに回動することで、接続片８５および他片１０３に係合ピン９５，１１３により連結された連結材９１，１０９も接続片８５および他片１０３と一体的に回動する。
【００４５】
そして、操作部材６９が回動することで、作動片８１の先端部８１ａが下方へ移動して第一スライダー５１を下方へ押し込む。第一スライダー５１が下方へ移動することで、ロッキングピース３５が揺動してラッチボルト１５と、係合片３９との係合が解除される。
これにより、ラッチボルト１５は、後退可能状態つまり開扉方向へ作用する力により受材２５に当接することで反転すると共に、錠ケース１１内へ後退可能な状態となる。
【００４６】
このように係合が解除された状態で、ハンドル本体６５をさらに引くことで、ラッチボルト１５が受材２５に当接して反転し、さらにラッチボルト１５が受材２５により吊元側へ押し込まれて錠ケース１１内へ後退し開扉が可能とされる。
【００４７】
なお、開扉後、ハンドル本体６５から手を放すと、バネ１１５，１１７の付勢力により、取付部材７７が室内側へ押し込まれ、これに伴ってハンドル本体６５や操作部材６９が初期位置に戻る。
また、本実施例ではハンドル本体６５に、連動杆７９と連結材９１，１０９とにより平行リンク機構が形成されており、これにより、ハンドル本体６５は、軸方向を上下方向に沿った状態のまま前後に移動することとなる。
【００４８】
また、室内側から開扉する場合には、ハンドル本体６７を室外側へ押し込めばよい。
室内側のハンドル本体６７を押すことで、取付部材１２５にピン１２７で連結された伝達片１２３の下端部が室外側へ押し込まれて、操作部材７１が軸１２１まわりに回動する。本実施例では、操作部材７１は、図４において、反時計方向に回動する。これに伴い、操作部材７１の作動片１３９も回動して、その先端部１３９ａが上方へ移動して第二スライダー５３を上方へ押し込む。そして、第二スライダー５３が上方へ移動することで、ロッキングピース３５が揺動してラッチボルト１５と、係合片３９との係合が解除される。
このように解除された状態で、ハンドル本体６７をさらに押し込むことで、ラッチボルト１５が受材２５に当接して反転し、さらに錠ケース１１内へ後退して開扉が可能とされる。
【００４９】
本実施例のハンドル装置１によれば、従来公知のラッチ錠が設けられた扉に適用可能とされ、操作部材６９の伝達片８０と作動片８１とが扉５の幅方向に離隔していることで、扉５の戸先側端部に設けられた錠ケース１１に差し込まれる作動片８１よりハンドル本体６５を扉５の吊元側へ配置することが可能となる。
これにより、本実施例のハンドル装置１が扉５に設けられた状態では、図１に示すように、扉５の戸先側端部とハンドル本体６５との間にシリンダー錠１６１のキー穴１６３が配置可能とされる。つまり、ハンドル本体６５と、扉５の戸先側端部との間隔を広くすることができ、シリンダー装置やサムターン装置を備えた錠前を扉の戸先側端部とハンドル本体６５との間に配置することが可能となり、キー操作の行い易い高さにキー穴を配置することができる。なお、本実施例では、扉５の戸先側端部とハンドル本体６５との距離は、たとえば約１５０ｍｍとされる。
【００５０】
本発明のハンドル装置は、上記実施例の構成に限らず、適宜変更可能である。
たとえば、上記実施例では、ハンドル装置により解錠する扉錠を反転式のラッチ錠としたが、通常のラッチ錠であっても構わない。この場合、ラッチ錠は、錠ケース内に設けられたラッチハブを回転させることでラッチボルトが後退するよう構成されているが、そのラッチハブを操作部材６９の作動片８１により回転させるようにすればよい。
また、上記実施例では、ハンドル本体を扉の吊元側へずらして配置したが、戸先側へずらして配置するようにしてもよい。
【図面の簡単な説明】
【００５１】
【図１】本発明のハンドル装置の一実施例を示す図であり、扉へ取り付けた状態を室外側から見た正面図である。
【図２】図１中に示されるラッチ錠の概略縦断面図である。
【図３】図２のラッチ錠のラッチボルトを示す斜視図である。
【図４】図１のハンドル装置の側面視縦断面図である。
【図５】図１のハンドル装置の横断面図である。
【図６】図１のハンドル装置の主要部を示す斜視図である。
【図７】室外側の台座を室内側から見た概略図である。
【図８】従来のハンドル装置の取り付け状態を示す図である。
【符号の説明】
【００５２】
１  ハンドル装置
３  ラッチ錠
５  扉
１１  錠ケース
１５  ラッチボルト
６１  台座
６３  台座
６５  ハンドル本体
６７  ハンドル本体
６９  操作部材
７１  操作部材
７７  取付部材
８０  伝達片（伝達部材）
８１  作動片（作動部材）
【図１】
2008266982.tif 000003
【図２】
2008266982.tif 000004
【図３】
2008266982.tif 000005
【図４】
2008266982.tif 000006
【図５】
2008266982.tif 000007
【図６】
2008266982.tif 000008
【図７】
2008266982.tif 000009
【図８】
2008266982.tif 000010